【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
第一利用者が利用する第一電子機器に対して第一サービスを提供する第一サービスサーバから前記第一電子機器が前記第一サービスを受ける際に、前記第一電子機器に対して固有に付与されるとともに改ざんすることができない状態で前記第一電子機器に保存されている第一電子機器識別情報を前記第一電子機器から受信し、前記第一電子機器識別情報に基づいて前記第一サービスの提供の可否を判定する第一判定を行う第一判定サーバであって、
前記第一利用者を一意に識別する第一利用者共通識別情報と前記第一電子機器識別情報とを関連付けて保持する第一関連保持部を有するとともに、
前記第一電子機器から前記第一電子機器識別情報を含む前記第一判定サーバとは異なる第二判定サーバの利用要求を受信した際には、前記第一関連保持部で保持された前記第一電子機器識別情報に対応する前記第一利用者共通識別情報を得るとともに、前記第一利用者共通識別情報を含めて前記第一利用者と前記第一利用者とは異なる第二利用者との相対関係を証明する第一保証の発行の要求である第一保証要求を識別管理サーバに対して出力する第一保証要求出力部と、
前記識別管理サーバにて、前記第一利用者共通識別情報および前記第二利用者を一意に識別する第二利用者共通識別情報を用いて前記第一利用者と前記第二利用者との相対的関係として管理された主従関係情報、および前記第一保証を、前記識別管理サーバから受信する第一保証受信部と、
前記第一保証および前記主従関係情報を含めて前記第一利用者に対する前記第二サービスの利用要求である保証付サービス依頼を前記第二判定サーバに対して出力する保証付サービス依頼出力部と、
を有する第一判定サーバ。
【請求項２】
第一利用者を一意に識別する第一利用者共通識別情報および前記第一利用者とは異なる第二利用者を一意に識別する第二利用者共通識別情報を用いて、前記第一利用者と前記第二利用者との相対的関係を主従関係情報として管理する識別管理部と、
第一判定サーバから入力された前記第一利用者共通識別情報に基づいて、前記識別管理部で管理されている前記主従関係情報を検索する識別管理部検索部と、
前記識別管理部検索部での検索結果に基づいて、前記第一利用者と前記第二利用者との相対的関係を証明する第一保証を発行するとともに、前記第一保証および前記主従関係情報を前記第一判定サーバに出力する第一保証出力部と、
を有する識別管理サーバであり、
前記第一判定サーバから入力された前記第一利用者共通識別情報は、前記第一利用者が利用する第一電子機器に対して固有に付与されるとともに改ざんすることができない状態で前記第一電子機器に保存されている第一電子機器識別情報を前記第一電子機器から前記第一判定サーバが受信し、前記第一判定サーバに設けられた前記第一利用者共通識別情報と前記第一電子機器識別情報とを関連付けて保持した第一関連保持部で、受信した前記第一電子機器識別情報が前記第一利用者共通識別情報に変換されたものであることを特徴とする、識別管理サーバ。
【請求項３】
第一利用者が利用する第一電子機器に対して第一サービスを提供する第一サービスサーバから前記第一電子機器が前記第一サービスを受ける際に、前記第一電子機器に対して固有に付与されるとともに改ざんすることができない状態で前記第一電子機器に保存されている第一電子機器識別情報を前記第一電子機器から受信し、前記第一電子機器識別情報に基づいて前記第一サービスの提供の可否を判定する第一判定を行う第一判定サーバであって、
前記第一利用者を一意に識別する第一利用者共通識別情報と前記第一電子機器識別情報とを関連付けて保持する第一関連保持部を有するとともに、
前記第一電子機器から前記第一電子機器識別情報を含む前記第一判定サーバとは異なる第二判定サーバの利用要求（第二利用者共通識別情報を含むものを除く）を受信した際には、前記第一関連保持部で保持された前記第一電子機器識別情報に対応する前記第一利用者共通識別情報を得るとともに、前記第二判定サーバを識別するための第二判定サーバ識別情報、及び前記第一利用者共通識別情報を含めて前記第一利用者と前記第一利用者とは異なる第二利用者との相対関係を証明する第二保証の発行および前記第二判定サーバに対するサービス依頼の要求である保証要求付サービス依頼を前記識別管理サーバに対して出力する保証要求付サービス依頼出力部と、
を有する第一判定サーバ。
【請求項４】
第一利用者を一意に識別する第一利用者共通識別情報および前記第一利用者とは異なる第二利用者を一意に識別する第二利用者共通識別情報を用いて、前記第一利用者と前記第二利用者との相対的関係を主従関係情報として管理する識別管理部と、
第一判定サーバから入力された前記第一利用者共通識別情報に基づいて、前記識別管理部で管理されている前記主従関係情報を検索する識別管理部検索部と、
前記識別管理部検索部での検索結果に基づいて、前記第一利用者と前記第二利用者との相対的関係を証明する第二保証を発行するとともに、前記第一利用者に対する第二サービスサーバが提供する前記第二サービスの利用要求である保証付サービス依頼を、前記主従関係情報とともに第二判定サーバに対して出力する第二保証付サービス依頼出力部と、
を有する識別管理サーバであり、
前記第一判定サーバから入力された前記第一利用者共通識別情報は、前記第一利用者が利用する第一電子機器に対して固有に付与されるとともに改ざんすることができない状態で前記第一電子機器に保存されている第一電子機器識別情報を前記第一電子機器から前記第一判定サーバが受信し、前記第一判定サーバに設けられた前記第一利用者共通識別情報と前記第一電子機器識別情報とを関連付けて保持した第一関連保持部で、受信した前記第一電子機器識別情報が前記第一利用者共通識別情報に変換されたものであることを特徴とする、識別管理サーバ。
【請求項５】
第一利用者が利用する第一電子機器に対して第一サービスを提供する第一サービスサーバから前記第一電子機器が前記第一サービスを受ける際に、前記第一電子機器に対して固有に付与されるとともに改ざんすることができない状態で前記第一電子機器に保存されている第一電子機器識別情報を前記第一電子機器から受信し、前記第一電子機器識別情報に基づいて前記第一サービスの提供の可否を判定する第一判定を行う第一判定サーバであって、
前記第一利用者を一意に識別する第一利用者共通識別情報と前記第一電子機器識別情報とを関連付けて保持する第一関連保持部を有するとともに、
前記第一電子機器から前記第一電子機器識別情報を含む前記第一判定サーバとは異なる第二判定サーバの利用要求（第二利用者共通識別情報を含むものを除く）を受信した際には、前記第一関連保持部で保持された前記第一電子機器識別情報に対応する前記第一利用者共通識別情報を得るとともに、前記第一利用者共通識別情報を含めて前記第二判定サーバに対するサービス依頼の要求であるサービス依頼を前記第二判定サーバに対して出力するサービス依頼出力部と、
を有する第一判定サーバ。
【請求項６】
第一利用者を一意に識別する第一利用者共通識別情報および前記第一利用者とは異なる第二利用者を一意に識別する第二利用者共通識別情報を用いて、前記第一利用者と前記第二利用者との相対的関係を主従関係情報として管理する識別管理部と、
第二判定サーバから入力された前記第一利用者共通識別情報に基づいて、前記識別管理部で管理されている前記主従関係情報を検索する識別管理部検索部と、
前記識別管理部検索部での検索結果に基づいて、前記第一利用者と前記第二利用者との相対的関係を証明する第二保証を発行するとともに、前記第二保証および前記主従関係情報を前記第二判定サーバに出力する第二保証出力部と、
を有する識別管理サーバであり、
前記第二判定サーバから入力された前記第一利用者共通識別情報は、前記第一利用者が利用する第一電子機器に対して固有に付与されるとともに改ざんすることができない状態で前記第一電子機器に保存されている第一電子機器識別情報を前記第一電子機器から第一判定サーバが受信し、前記第一判定サーバに設けられた前記第一利用者共通識別情報と前記第一電子機器識別情報とを関連付けて保持した第一関連保持部で、受信した前記第一電子機器識別情報が前記第一利用者共通識別情報に変換され前記第二判定サーバに出力されたものであることを特徴とする、識別管理サーバ。
【請求項７】
請求項１、３、５または７記載の第一判定サーバと、
前記第一サービスを、前記第一利用者が利用する前記第一電子機器に対して提供する前記第一サービスサーバと、
を有する第一サービス提供システム。
【手続補正２】
【補正対象書類名】明細書
【補正対象項目名】００１１
【補正方法】変更
【補正の内容】
【００１１】
なお、特許請求の範囲に挙げられた請求項と以下に説明する実施形態との関係は次の通りとなる。実施形態１は、主に請求項１、２に関する。実施形態２は、主に請求項３、４に関する。実施形態３は、主に請求項５、６に関する。